(57)【要約】  記録媒体（１００）は、光が照射される側から見て、（ｉ）第１レーザ光（４０５ｎｍ）によって記録マークを形成可能な記録感度記録感度を保持し、第１レーザ光（ブルー）を吸収する割合を示した第１光吸収率が、第２レーザ光（６５０ｎｍ）を吸収する光吸収率と比較して大きな第１記録層（１０１）と、（ｉｉ）第１レーザ光に対する光反射率が、第２レーザ光に対する光反射率と比較して大きな中間層（１０３）と、（ｉｉｉ）第２レーザ光によって記録マークを形成可能な記録感度を保持する第２記録層（１０２）とを配置して備える。【特許請求の範囲】
【請求項１】
第１波長の第１レーザ光によって記録マークを形成可能な記録感度を保持し、前記第１レーザ光を吸収する割合を示した第１光吸収率が、前記第１波長より長い第２波長の第２レーザ光を吸収する光吸収率と比較して大きな第１記録層と、
前記第１レーザ光を反射させる割合を示した光反射率が、前記第２レーザ光に対する光反射率と比較して大きな中間層と、
前記第２レーザ光によって前記記録マークを形成可能な記録感度を保持する第２記録層と
を備え、
前記第１記録層、前記中間層、及び、前記第２記録層は、前記第１及び第２レーザ光が照射される側から見て、前記第１記録層、前記中間層、及び、前記第２記録層の順番で配置されることを特徴とする記録媒体。
【請求項２】
前記第１記録層、及び前記第２記録層における光吸収率は、波長をパラメータとして連続的に変化し、前記第１記録層における光吸収率が最大となる波長である第１ピーク波長と、前記第２記録層における光吸収率が最大となる波長である第２ピーク波長とは異なることを特徴とする請求の範囲第１項に記載の記録媒体。
【請求項３】
前記第１ピーク波長は、前記第２ピーク波長より小さいことを特徴とする請求の範囲第２項に記載の記録媒体。
【請求項４】
前記第１ピーク波長は、３８０ｎｍ（ナノメートル）より誤差量だけ大きい、又は、小さい長さであり、前記第２ピーク波長は、５００ｎｍより前記誤差量だけ大きい、又は、小さい長さであることを特徴とする請求の範囲第３項に記載の記録媒体。
【請求項５】
前記第１記録層は、前記第２レーザ光によって前記記録マークを形成できないことを特徴とする請求の範囲第１項に記載の記録媒体。
【請求項６】
前記第１記録層における、前記第２レーザ光を吸収する光吸収率は、ゼロであることを特徴とする請求の範囲第５項に記載の記録媒体。
【請求項７】
前記第１光吸収率、及び、前記第２記録層における前記第２レーザ光を吸収する割合を示した第２光吸収率は、最大値より小さくなるように設定されていることを特徴とする請求の範囲第１項に記載の記録媒体。
【請求項８】
前記第１光吸収率、及び、前記第２光吸収率は、０．１から０．３に近づけられていることを特徴とする請求の範囲第７項に記載の記録媒体。
【請求項９】
前記中間層における、前記第１レーザ光に対する光反射率は、０．４から０．８に近付けられており、前記第２レーザ光に対する光反射率は、０．１から０．３に近付けられていることを特徴とする請求の範囲第１項に記載の記録媒体。
【請求項１０】
前記第１波長は、４０５ｎｍ（ナノメートル）に近付けられており、前記第２波長は、６５０ｎｍに近付けられていることを特徴とする請求の範囲第１項に記載の記録媒体。
【請求項１１】
前記第１記録層、及び前記第２記録層は、シアニン系有機色素を含むことを特徴とする請求の範囲第１項に記載の記録媒体。
【請求項１２】
前記記録マークは、所定の記録情報を保持することを特徴とする請求の範囲第１項に記載の記録媒体。
【発明の詳細な説明】
【技術分野】
【０００１】
本発明は、例えば２層型の光ディスク等の多層型の記録媒体の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、特許文献１、２等に記載されているように、同一基板上に複数の記録層が積層されてなる多層型若しくはダブルレイヤ又はマルチプルレイヤ型の光ディスク等も開発されている。より具体的には、２層型の光ディスクは、１層目として、情報記録装置で記録される際のレーザ光の照射側から見て最も手前側（即ち、光ピックアップに近い側）に位置する第１記録層を有しており、更にその奥側（即ち、光ピックアップから遠い側）に位置する半透過反射膜を有する。２層目として、該半透過反射膜の奥側に接着層等の中間層を介して位置する第２記録層を有しており、更にその奥側に位置する反射膜を有する。そして、このような２層型の光ディスクを記録する、ＣＤレコーダ等の情報記録装置では、第１記録層に対して記録用のレーザ光を集光することで、第１記録層に対して情報を加熱等による非可逆変化記録方式や書換え可能方式で記録し、第２記録層に対して該レーザ光を集光することで、第２記録層に対して情報を加熱等による非可逆変化記録方式や書換え可能方式で記録することになる。【０００３】
特に、特許文献３に掲載されているように、２つの異なる波長によって夫々記録可能な記録層を備えた２層型光ディスク等の記録媒体において、相対的に短い一の波長のレーザ光に対する反射率は相対的に高く、相対的に長い他の波長のレーザ光に対する反射率は相対的に低いという、所謂、波長選択性を保持する中間層（以下、適宜「波長選択層」と称す）を２層間に挿入させる手法が提案されている。従って、一の波長のレーザ光を射出する再生装置でも、他の波長のレーザ光を射出する再生装置でも、当該記録媒体を再生できるので、再生互換性を維持することが可能となる。【０００４】
【特許文献１】特開２０００−３１１３４６号公報
【特許文献２】特開２００１−２３２３７号公報
【特許文献３】特開平９−２３７４３８号公報
【発明の開示】
【発明が解決しようとする課題】
【０００５】
しかしながら、特許文献３では、２つの異なる波長によって夫々記録可能な記録層を備えた２層型光ディスク等の記録媒体において、例えば記録用レーザ光による記録の際の、第１記録層と第２記録層との相互間の影響（以下適宜、「層間干渉」と称す）を低減することは困難であるという技術的な問題点を有している。【０００６】
より具体的には、図７に示されるように、特許文献３においては、２層型の記録型ＤＶＤ等の記録媒体において半透過反射膜が中間層として挿入されている場合と概ね同様の記録パワーを保持するレーザ光（記録用レーザ光）による層間干渉が発生してしまう。ここに、図７は、一の比較例に係る光ディスク３００においてレーザ光が照射される記録層の垂直断面を図式的に示した拡大的断面図である。【０００７】
図７に示されるように、記録用レーザ光が、この記録用レーザ光が照射される側から見て、手前側に配置される第１記録層３０１に照射されると、この記録用レーザ光が、半透過反射膜である中間層３０３を介して、奥側に配置される第２記録層３０２へ影響を与え、層間干渉が生じてしまう。他方、この記録用レーザ光が、第２記録層３０２に照射されると、この記録用レーザ光が、中間層３０３を介して、第１記録層３０１へ影響を与え、層間干渉が生じてしまう。【０００８】
本発明は、例えば上述した従来の問題点に鑑みなされたものであり、例えば２層型の光ディスク等の記録媒体において、レーザ光による層間干渉を軽減することが可能な記録媒体を提供することを課題とする。
【課題を解決するための手段】
【０００９】
（記録媒体）
本発明の記録媒体は上記課題を解決するために、第１波長の第１レーザ光（青色ＬＤ（Laser Diode））によって記録マークを形成可能な記録感度を保持し、前記第１レーザ光（青色ＬＤ）を吸収する割合を示した第１光吸収率が、前記第１波長より長い第２波長の第２レーザ光（赤色ＬＤ（Laser Diode））を吸収する光吸収率と比較して大きな第１記録層（HD-DVD）と、前記第１レーザ光（青色ＬＤ）を反射させる割合を示した光反射率が、前記第２レーザ光（赤色ＬＤ）に対する光反射率と比較して大きな中間層と、前記第２レーザ光（赤色ＬＤ）によって前記記録マークを形成可能な記録感度を保持する第２記録層（DVD）とを備え、前記第１記録層（HD-DVD）、前記中間層、及び、前記第２記録層（DVD）は、前記第１及び第２レーザ光が照射される側から見て、前記第１記録層、前記中間層、及び、前記第２記録層の順番で配置される。【００１０】
本発明の記録媒体によれば、例えばＨＤ−ＤＶＤ（High Definition−ＤＶＤ）等の第１記録層は、相対的に短い波長である青色ＬＤ等の第１レーザ光によって記録マークを形成可能な記録感度に相当する第１吸収率を保持するように設定されている。特に、本願発明において、所定の層における、光反射率、光透過率、及び光吸収率の和は、１に等しくなるように構成されている。【００１１】
同様にして、例えばＤＶＤ等の第２記録層は、相対的に長い波長である赤色半導体レーザ等の第２レーザ光によって記録マークを形成可能な記録感度を保持するように設定されている。【００１２】
加えて、第１記録層は、第１吸収率に基づいて、相対的に長い波長である第２レーザ光によって記録マークを殆ど又は完全に形成できないように設定されている。【００１３】
更に加えて、第１レーザ光（青色ＬＤ）に対する反射率は相対的に高く、第２レーザ光（赤色ＬＤ）に対する反射率は相対的に低いという、所謂、波長選択性を保持する中間層が、第１記録層と第２記録層との間に挿入されている。尚、記録密度が高い記録層を、レーザ光が照射される側から見て、手前側に配置させるために、手前側から第１記録層、中間層、第２記録層の順番で配置されるようにしてもよい。【００１４】
仮に、中間層が挿入されていない場合、次のような不具合が生じてしまう。即ち、第２記録層は、第１レーザ光（青色ＬＤ）によって記録マークを形成可能な記録感度を保持するので、第１レーザ光が、第１記録層に照射された場合、第１レーザ光が、波長選択性の特性を保持しない半透過反射層を通過し、第２記録層へ影響するため、層間干渉が生じてしまう。【００１５】
これに対して、本発明によれば、第１記録層は、第２レーザ光によって記録マークを形成できないように設定されていると共に、中間層が挿入されている。従って、２つの異なる波長によって夫々記録可能な、２層型の光ディスク等の記録媒体において、例えば記録用レーザ光による層間干渉をより軽減することが可能である。即ち、青色ＬＤ等の記録用レーザ光が、第１記録層に照射された場合、この記録用レーザ光が、波長選択層を通過することは、殆ど又は完全にないので、第２記録層への影響、即ち層間干渉をより軽減することが可能である。言い換えると、第２記録層が、青色ＬＤによって記録マークを形成可能な記録感度を保持する、又は保持しないに関わらずに、層間干渉をより軽減することが可能である。【００１６】
本発明の記録媒体の一の態様は、前記第１記録層（HD-DVD）、及び前記第２記録層（DVD）における光吸収率は、波長をパラメータとして連続的に変化し、前記第１記録層（HD-DVD）における光吸収率が最大となる波長である第１ピーク波長と、前記第２記録層（DVD）における光吸収率が最大となる波長である第２ピーク波長とは異なる。【００１７】
この態様によれば、第１記録層の吸収率に基づいて、第１記録層では、第２レーザ光によって記録マークを殆ど又は完全に形成できないように簡便に設定可能である。【００１８】
この光吸収率に係る態様では、前記第１ピーク波長は、前記第２ピーク波長より小さいように構成してもよい。【００１９】
このように構成すれば、第１記録層の吸収率に基づいて、第１記録層では、第２レーザ光によって記録マークを殆ど又は完全に形成できないようにより簡便に設定可能である。【００２０】
更に、この光吸収率に係る態様では、前記第１ピーク波長は、３８０ｎｍ（ナノメートル）より誤差量だけ大きい、又は、小さい長さであり、前記第２ピーク波長は、５００ｎｍより前記誤差量だけ大きい、又は、小さい長さであるように構成してもよい。【００２１】
このように構成すれば、第１記録層の吸収率に基づいて、第１記録層では、第２レーザ光によって記録マークを殆ど又は完全に形成できないように、更により簡便に設定可能である。尚、本発明に係る「誤差量」とは、光学的、物理的、及び機械的な各種の誤差の大きさを示す一定又は可変の量を意味する。この誤差量は、例えば、実験的、経験的又は理論的若しくはシミュレーション等により一義的に決定可能である。【００２２】
本発明の記録媒体の他の態様は、前記第１記録層（HD-DVD）は、前記第２レーザ光（赤色ＬＥＤ）によって前記記録マークを形成できない。【００２３】
この態様によれば、第２レーザ光による層間干渉を更により軽減することが可能である。【００２４】
この光吸収率に係る態様では、前記第１記録層（HD-DVD）における、前記第２レーザ光（赤色ＬＥＤ）を吸収する光吸収率は、ゼロであるように構成してもよい。【００２５】
このように構成すれば、第２レーザ光による層間干渉を更により軽減することが可能である。【００２６】
本発明の記録媒体の他の態様は、前記第１光吸収率、及び、前記第２記録層（DVD）における前記第２レーザ光（赤色ＬＥＤ）を吸収する割合を示した第２光吸収率は、最大値より小さくなるように設定されている。【００２７】
この態様によれば、再生パワーを有する第１レーザ光、及び第２レーザ光に対する光反射率を高めることが可能となるので、記録媒体の記録品質に加えて、再生品質を高めることが可能となる。【００２８】
この光吸収率に係る態様では、前記第１光吸収率、及び、前記第２光吸収率は、０．１から０．３に近づけられているように構成してもよい。【００２９】
このように構成すれば、記録媒体の記録品質に加えて、再生品質をより高めることが可能となる。【００３０】
本発明の記録媒体の他の態様は、前記中間層における、前記第１レーザ光（青色ＬＤ）に対する光反射率は、０．４から０．８に近付けられており、前記第２レーザ光（赤色ＬＥＤ）に対する光反射率は、０．１から０．３に近付けられている。【００３１】
この態様によれば、記録媒体の記録品質に加えて、再生品質をより高めることが可能となる。【００３２】
本発明の記録媒体の他の態様は、前記第１波長は、４０５ｎｍ（ナノメートル）に近付けられており、前記第２波長は、６５０ｎｍに近付けられている。【００３３】
この態様によれば、第１レーザ光として、例えば青色ＬＤ等の相対的に短い波長のレーザ光を適用可能であり、第２レーザ光として、例えば赤色半導体レーザ等の相対的に長い波長のレーザ光を適用可能である。【００３４】
本発明の記録媒体の他の態様は、前記第１記録層（HD-DVD）、及び前記第２記録層（DVD）は、シアニン系有機色素を含む。【００３５】
この態様によれば、前述した第１光吸収率を保持する第１記録層を、比較的容易に実現することが可能となる。【００３６】
本発明の記録媒体の他の態様は、前記記録マークは、所定の記録情報を保持する。【００３７】
この態様によれば、記録品質が高められた記録マークによって、記録情報を記録することが可能となる。加えて、波長の大きさに基づいて、決定される記録マークの密度、即ち、記録密度で、所定の記録情報を、第１記録層、及び第２記録層に記録することが可能となる。【００３８】
本発明のこのような作用及び他の利得は次に説明する実施例から更に明らかにされる。【００３９】
以上説明したように、本発明の記録媒体によれば、レーザ光が照射される側から見て、第１記録層、中間層、及び第２記録層を備える。従って、２つの異なる波長によって夫々記録可能な、２層型の光ディスク等の記録媒体において、例えば記録用レーザ光による層間干渉をより軽減することが可能である。
【図面の簡単な説明】
【００４０】
【図１】本発明の記録媒体の実施例に係る光ディスク１００の基本構成を示した概略平面図（図１（ａ））、及び、切断面「Ｘ」における該光ディスクの概略断面図（図１（ｂ））である。
【図２】本発明の記録媒体の実施例に係る光ディスク１００においてレーザ光が照射される記録層の垂直断面を図式的に示した拡大的断面図である。
【図３】本発明の記録媒体の実施例を構成する第１記録層、及び第２記録層における、波長をパラメータとした、光を吸収する割合である光吸収率を示したグラフである。
【図４】本発明の記録媒体の実施例を構成する第１記録層、及び第２記録層を構成する有機色素の一具体例（図４（ａ）、及び図４（ｂ））を示す化学式である。
【図５】本発明の記録媒体の実施例を構成する中間層における、波長をパラメータとした、光を反射する割合である光反射率を示したグラフである。
【図６】他の比較例に係る光ディスク２００においてレーザ光が照射される記録層の垂直断面を図式的に示した拡大的断面図である。
【図７】一の比較例に係る光ディスク３００においてレーザ光が照射される記録層の垂直断面を図式的に示した拡大的断面図である。
【符号の説明】
【００４１】
１００  光ディスク
１０１  第１記録層
１０２  第２記録層
１０３  中間層
１０４及び１０５  ポリカーボネート層
ＬＢ１  レーザ光（青色半導体レーザ）
ＬＢ２  レーザ光（赤色半導体レーザ）
【発明を実施するための最良の形態】
【００４２】
以下、本発明を実施するための最良の形態について実施例毎に順に図面に基づいて説明する。
（１）本発明の記録媒体
以下、図１から図５を参照して本発明の記録媒体に係る実施例について説明を進める。【００４３】
（１−１）基本構成
先ず、図１を参照して、本発明の記録媒体の実施例に係る光ディスクの基本構成の概略について説明する。ここに、図１（ａ）は、本発明の記録媒体の実施例に係る光ディスク１００の基本構成を示した概略平面図であり、図１（ｂ）は、切断面「Ｘ」における該光ディスクの概略断面図である。【００４４】
図１（ａ）に示すように、光ディスク１００は、例えばＤＶＤと同じくセンターホール１０を有する直径１２ｃｍ程度の円盤形状を有している。但し、この形状や大きさはこれに限定されるものではなく、様々な大きさ及び様々な形状を採用しても良いことは言うまでもない。【００４５】
図１（ｂ）に示すように、光ディスク１００は、例えば２層型等の記録層が複数積層された多層型の記録媒体である。【００４６】
具体的には、例えば２種類のレーザ光ＬＢ１及びＬＢ２が照射される側（図１（ｂ）中の下側）から見て、ポリカーボネート層１０４、例えばＨＤ−ＤＶＤ等の第１記録層１０１、例えば波長選択性を保持する中間層１０３、例えばＤＶＤ等の第２記録層１０２、及びポリカーボネート層１０５を備えて構成されている。【００４７】
より具体的には、第１記録層１０１は、レーザ光ＬＢ１によって記録マークを形成可能な記録感度を保持する記録層である。ここに、本実施例に係るレーザ光ＬＢ１は、例えば波長が４０５ｎｍである青色ＬＤ等の相対的に短い波長のレーザ光である。尚、第１記録層１０１においては、記録パワーを保持するレーザ光ＬＢ１によって、記録マークを形成可能な光吸収率（後述の図３を参照）を有する。と共に、再生パワーを保持するレーザ光ＬＢ１を反射可能な光反射率を有するように構成してもよい。【００４８】
第２記録層１０２は、レーザ光ＬＢ２によって記録マークを形成可能な記録感度を保持する記録層である。ここに、本実施例に係るレーザ光ＬＢ２は、例えば波長が６５０ｎｍである赤色レーザ光等の相対的に長い波長のレーザ光である。尚、第２記録層１０２においては、記録パワーを保持するレーザ光ＬＢ２によって、記録マークを形成可能な光吸収率（後述の図３を参照）を有する。と共に、再生パワーを保持するレーザ光ＬＢ２を反射可能な全反射膜が積層されるように構成してもよい。【００４９】
中間層（波長選択層）１０３は、一の波長のレーザ光に対する反射率は相対的に高く、他の波長のレーザ光に対する反射率は相対的に低いという特性である、所謂、波長選択性を保持している。【００５０】
ポリカーボネート層１０４、及び１０５は、例えば０．６ｍｍの厚さを夫々有すように構成してもよい。【００５１】
（１−２）記録特性
次に、図２から図５を参照して、本発明の記録媒体の実施例に係る光ディスクの記録特性について説明する。ここに、図２は、本発明の記録媒体の実施例に係る光ディスク１００においてレーザ光が照射される記録層の垂直断面を図式的に示した拡大的断面図である。図３は、本発明の記録媒体の実施例を構成する第１記録層、及び第２記録層における、波長をパラメータとした、光を吸収する割合である光吸収率を示したグラフである。図４は、本発明の記録媒体の実施例を構成する第１記録層、及び第２記録層を構成する有機色素の一具体例（図４（ａ）、及び図４（ｂ））を示す化学式である。図５は、本発明の記録媒体の実施例を構成する中間層における、波長をパラメータとした、光を反射する割合である光反射率を示したグラフである。尚、図３中の縦軸は、光吸収率を示し、横軸は、波長を示す。また、図５中の縦軸は、光反射率を示し、横軸は、波長を示す。【００５２】
図２に示すように、第１記録層１０１に対して、レーザ光ＬＢ１が照射されると、当該第１記録層１０１の記録感度に基づいて、記録マークを形成することが可能である。詳細には、図３中の「Ａ点」に示すように、第１記録層１０１は、波長が４０５ｎｍであるレーザ光ＬＢ１に対する光吸収率「Ａ１」に相当する記録感度を保持する。より詳細には、第１記録層１０１は、図４（ａ）に示されるようなシアニン系有機色素によって構成されている。本願発明者による研究によれば、このような有機色素によって構成される第１記録層１０１の光吸収率は、波長が約３８０ｎｍであるレーザ光に対して、最大値を示すことが判明している。また、この第１記録層１０１は、概ね８０ｎｍから６００ｎｍ程度の波長の光を吸収することができる。この第１記録層１０１の波長をパラメータとした光吸収率が、図３中の点線の放物線で示されている。【００５３】
前述したように、波長選択性を保持する中間層１０３（「波長選択層」）が第１記録層と、第２記録層の間に挿入されている。この中間層１０３は、一の波長のレーザ光に対する反射率は相対的に高く、他の波長のレーザ光に対する反射率は相対的に低いという特性である、所謂、波長選択性を保持している。詳細には、図５中の「Ｂ点」に示すように、中間層１０３における、波長が４０５ｎｍであるレーザ光ＬＢ１に対する光反射率は、相対的に大きくなるように設定されている。従って、中間層１０３が、レーザ光ＬＢ１を反射するため、レーザ光ＬＢ１は、第２記録層１０２には到達することができない。【００５４】
この結果、青色ＬＤ等の記録用レーザ光ＬＢ１が、第１記録層１０１に照射された場合、記録用レーザ光が、中間層１０３を通過することは、殆ど又は完全にないので、第２記録層１０２への影響、即ち層間干渉をより軽減することが可能である。【００５５】
再び図２に戻り、他方、第２記録層１０２に対して、レーザ光ＬＢ２が照射されると、当該第２記録層１０２の記録感度に基づいて、記録マークを形成することが可能である。詳細には、図３中の「Ｅ点」に示すように、第２記録層１０２は、波長が６５０ｎｍであるレーザ光ＬＢ２に対する光吸収率「Ｅ１」に相当する記録感度を保持する。より詳細には、第２記録層１０２は、第２記録層１０２は、図４（ｂ）に示されるように、図４（ａ）で（−ＣＨ＝）にて示される構造部分が（−ＣＨ＝ＣＨ−ＣＨ）と変更されたシアニン系有機色素によって構成されている。本願発明者による研究によれば、このような有機色素によって構成される第２記録層１０２の光吸収率は、波長が約５００ｎｍであるレーザ光に対して、最大値を示すことが判明している。また、この第２記録層１０２は、概ね２５０ｎｍから７５０ｎｍ程度の波長の光を吸収することができる。この第２記録層１０２の波長をパラメータとした光吸収率が、図３中の太線の放物線で示されている。【００５６】
加えて、第１記録層１０１を、レーザ光ＬＢ２が通過しても、当該第１記録層１０１の記録感度に基づいて、記録マークは形成されない。詳細には、図３中の「Ｃ点」に示すように、第１記録層１０１は、波長が６５０ｎｍであるレーザ光ＬＢ２に対する光吸収率は「ゼロ」であるので、レーザ光ＬＢ２に対する記録感度を殆ど又は完全に保持していない。【００５７】
更に加えて、前述したように、波長選択性を保持する中間層１０３（「波長選択層」）が第１記録層と、第２記録層の間に挿入されている。詳細には、図５中の「Ｄ点」に示すように、中間層１０３における、波長が６５０ｎｍであるレーザ光ＬＢ２に対する光反射率は、相対的に小さくなるように設定されている。従って、中間層１０３が、レーザ光ＬＢ２を透過させるため、レーザ光ＬＢ２は、第２記録層１０２に到達することが可能となる。【００５８】
この結果、例えば赤色レーザ光等の記録用レーザ光ＬＢ２が、第１記録層１０１を通過して、第２記録層１０２に焦点を合わせて照射されても、第１記録層１０１への影響、即ち層間干渉は殆ど又は完全に生じない。【００５９】
（２）本発明の記録媒体に係る作用効果の検討
続いて、図６に加えて前述した図１から図５を適宜参照して本発明の記録媒体に係る実施例の作用効果について検討する。ここに、図６は、他の比較例に係る光ディスク２００においてレーザ光が照射される記録層の垂直断面を図式的に示した拡大的断面図である。【００６０】
先ず、本発明に係る記録媒体の作用効果について、次に示される（ｉ）から（ｉｉｉ）の３つの条件に基づいて検討する。【００６１】
即ち、本実施例においては、（ｉ）記録密度が高い記録層を、レーザ光が照射される側から見て、手前側に配置させるために、手前側に配置される、例えばＨＤ−ＤＶＤ等の第１記録層１０１は、相対的に短い波長である青色ＬＤによって記録マークを形成可能な記録感度を保持するように設定されている。【００６２】
（ｉｉ）第１記録層１０１は、相対的に長い波長である赤色レーザ光によっては、記録マークを形成できないように設定されている。【００６３】
（ｉｉｉ）一の波長のレーザ光に対する反射率は相対的に高く、他の波長のレーザ光に対する反射率は相対的に低いという、所謂、波長選択性を保持する中間層１０３が、第１記録層１０１と第２記録層１０２との間に挿入されている。【００６４】
仮に、前述した（ｉ）から（ｉｉｉ）の３つの条件のうち（ｉ）及び（ｉｉ）の条件のみを満たす場合について図６を参照して考察する。この場合、図６に示されるように、第１記録層２０１は、相対的に長い波長である赤色レーザ光によって記録マークを形成可能な記録感度を保持しない。よって、例えば赤色レーザ光等の記録用レーザ光が、第１記録層２０１を通過して、第２記録層２０２に焦点を合わせて照射されても、第１記録層２０１への影響、即ち層間干渉は殆ど又は完全に生じない。【００６５】
しかしながら、第２記録層２０２は、青色ＬＤによって記録マークを形成可能な記録感度を保持するので、例えば青色ＬＤ等の記録用レーザ光が、第１記録層２０１に照射された場合、この記録用レーザ光が、波長選択性の特性を保持しない半透過反射層２０３を通過し、第２記録層（ＤＶＤ）へ影響するため、層間干渉が生じてしまう。【００６６】
これに対して、本発明に係る記録媒体によれば、（ｉ）から（ｉｉｉ）の３つの条件を満たすので、２つの異なる波長によって夫々記録可能な、２層型の光ディスク等の記録媒体において、記録用レーザ光による層間干渉をより軽減することが可能である。即ち、青色ＬＤ等の記録用レーザ光が、第１記録層（ＨＤ−ＤＶＤ）に照射された場合、この記録用レーザ光が、波長選択層を通過することは、殆ど又は完全にないので、第２記録層（ＤＶＤ）への影響、即ち層間干渉をより軽減することが可能である。言い換えると、第２記録層（ＤＶＤ）が、青色ＬＤによって記録マークを形成可能な記録感度を保持する、又は保持しないに関わらずに、層間干渉をより軽減することが可能である。【００６７】
また、上述の実施例では、記録媒体の一例として光ディスク１００について説明したが、本発明は、光ディスクに限られるものではなく、他の高密度記録或いは高転送レート対応の各種記録媒体にも適用可能である。【００６８】
本発明は、上述した実施例に限られるものではなく、請求の範囲及び明細書全体から読み取れる発明の要旨或いは思想に反しない範囲で適宜変更可能であり、そのような変更を伴う記録媒体もまた本発明の技術的範囲に含まれるものである。
【産業上の利用可能性】
【００６９】
本発明に係る記録媒体は、例えば、２層型の光ディスク等の多層型の記録媒体に利用可能である。
【図１】
2006088136.tif 000002
【図２】
2006088136.tif 000003
【図３】
2006088136.tif 000004
【図４】
2006088136.tif 000005
【図５】
2006088136.tif 000006
【図６】
2006088136.tif 000007
【図７】
2006088136.tif 000008
【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
第１波長の第１レーザ光によって記録マークを形成可能な記録感度を保持し、前記第１レーザ光を吸収する割合を示した第１光吸収率が、前記第１波長より長い第２波長の第２レーザ光を吸収する光吸収率と比較して大きな第１記録層と、
前記第１レーザ光を反射させる割合を示した光反射率が、前記第２レーザ光に対する光反射率と比較して大きな中間層と、
前記第２レーザ光によって前記記録マークを形成可能な記録感度を保持する第２記録層と
を備え、
前記第１記録層、前記中間層、及び、前記第２記録層は、前記第１及び第２レーザ光が照射される側から見て、前記第１記録層、前記中間層、及び、前記第２記録層の順番で配置され、
前記第１記録層、及び前記第２記録層は、シアニン系有機色素を含むことを特徴とする記録媒体。
【請求項２】
前記第１記録層、及び前記第２記録層における光吸収率は、波長をパラメータとして連続的に変化し、前記第１記録層における光吸収率が最大となる波長である第１ピーク波長と、前記第２記録層における光吸収率が最大となる波長である第２ピーク波長とは異なることを特徴とする請求の範囲第１項に記載の記録媒体。
【請求項３】
前記第１ピーク波長は、前記第２ピーク波長より小さいことを特徴とする請求の範囲第２項に記載の記録媒体。
【請求項４】
前記第１ピーク波長は、３８０ｎｍ（ナノメートル）より誤差量だけ大きい、又は、小さい長さであり、前記第２ピーク波長は、５００ｎｍより前記誤差量だけ大きい、又は、小さい長さであることを特徴とする請求の範囲第３項に記載の記録媒体。
【請求項５】
前記第１記録層は、前記第２レーザ光によって前記記録マークを形成できないことを特徴とする請求の範囲第１項に記載の記録媒体。
【請求項６】
前記第１記録層における、前記第２レーザ光を吸収する光吸収率は、ゼロであることを特徴とする請求の範囲第５項に記載の記録媒体。
【請求項７】
前記第１光吸収率、及び、前記第２記録層における前記第２レーザ光を吸収する割合を示した第２光吸収率は、最大値より小さくなるように設定されていることを特徴とする請求の範囲第１項に記載の記録媒体。
【請求項８】
前記第１光吸収率、及び、前記第２光吸収率は、０．１から０．３に近づけられていることを特徴とする請求の範囲第７項に記載の記録媒体。
【請求項９】
前記中間層における、前記第１レーザ光に対する光反射率は、０．４から０．８に近付けられており、前記第２レーザ光に対する光反射率は、０．１から０．３に近付けられていることを特徴とする請求の範囲第１項に記載の記録媒体。
【請求項１０】
前記第１波長は、４０５ｎｍ（ナノメートル）に近付けられており、前記第２波長は、６５０ｎｍに近付けられていることを特徴とする請求の範囲第１項に記載の記録媒体。
【請求項１１】
（削除）
【請求項１２】
前記記録マークは、所定の記録情報を保持することを特徴とする請求の範囲第１項に記載の記録媒体。
【請求項１３】
前記第１記録層に含まれる、前記シアニン系有機色素は、「−ＣＨ＝」の第１結合構造を有する、又は、前記第２記録層に含まれる、前記シアニン系有機色素は、「−ＣＨ＝ＣＨ−ＣＨ」の第２結合構造を有することを特徴とする請求の範囲第１項に記載の記録媒体。
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
第１波長の第１レーザ光によって記録マークを形成可能な記録感度を保持し、前記第１レーザ光を吸収する割合を示した第１光吸収率が、前記第１波長より長い第２波長の第２レーザ光を吸収する光吸収率と比較して大きな第１記録層と、
前記第１レーザ光を反射させる割合を示した光反射率が、前記第２レーザ光に対する光反射率と比較して大きな中間層と、
前記第２レーザ光によって前記記録マークを形成可能な記録感度を保持する第２記録層と
を備え、
前記第１記録層、前記中間層、及び、前記第２記録層は、前記第１及び第２レーザ光が照射される側から見て、前記第１記録層、前記中間層、及び、前記第２記録層の順番で配置され、
前記第１記録層、及び前記第２記録層は、シアニン系有機色素を含むことを特徴とする記録媒体。
【請求項２】
前記第１記録層、及び前記第２記録層における光吸収率は、波長をパラメータとして連続的に変化し、前記第１記録層における光吸収率が最大となる波長である第１ピーク波長と、前記第２記録層における光吸収率が最大となる波長である第２ピーク波長とは異なることを特徴とする請求項１に記載の記録媒体。
【請求項３】
前記第１ピーク波長は、前記第２ピーク波長より小さいことを特徴とする請求項２に記載の記録媒体。
【請求項４】
前記第１ピーク波長は、３８０ｎｍ（ナノメートル）より誤差量だけ大きい、又は、小さい長さであり、前記第２ピーク波長は、５００ｎｍより前記誤差量だけ大きい、又は、小さい長さであることを特徴とする請求項３に記載の記録媒体。
【請求項５】
前記第１記録層は、前記第２レーザ光によって前記記録マークを形成できないことを特徴とする請求項１から４のうちいずれか一項に記載の記録媒体。
【請求項６】
前記第１記録層における、前記第２レーザ光を吸収する光吸収率は、ゼロであることを特徴とする請求項５に記載の記録媒体。
【請求項７】
前記第１光吸収率、及び、前記第２記録層における前記第２レーザ光を吸収する割合を示した第２光吸収率は、最大値より小さくなるように設定されていることを特徴とする請求項１から６のうちいずれか一項に記載の記録媒体。
【請求項８】
前記第１光吸収率、及び、前記第２光吸収率は、０．１から０．３に近づけられていることを特徴とする請求項７に記載の記録媒体。
【請求項９】
前記中間層における、前記第１レーザ光に対する光反射率は、０．４から０．８に近付けられており、前記第２レーザ光に対する光反射率は、０．１から０．３に近付けられていることを特徴とする請求項１から８のうちいずれか一項に記載の記録媒体。
【請求項１０】
前記第１波長は、４０５ｎｍ（ナノメートル）に近付けられており、前記第２波長は、６５０ｎｍに近付けられていることを特徴とする請求項１から９のうちいずれか一項に記載の記録媒体。
【請求項１１】
前記記録マークは、所定の記録情報を保持することを特徴とする請求項１から１０のうちいずれか一項に記載の記録媒体。
【請求項１２】
前記第１記録層に含まれる、前記シアニン系有機色素は、「−ＣＨ＝」の第１結合構造を有する、又は、前記第２記録層に含まれる、前記シアニン系有機色素は、「−ＣＨ＝ＣＨ−ＣＨ」の第２結合構造を有することを特徴とする請求項１から１１のうちいずれか一項に記載の記録媒体。
【国際調査報告】
2006088136.tif 000009
2006088136.tif 000010
2006088136.tif 000011
2006088136.tif 000012